(57)【特許請求の範囲】
【請求項１】
捕虫器本体が３００〜６００ｎｍの波長の範囲の色彩を帯びており、該捕虫器本体に自然風の来る方向に合わせて該捕虫器本体の前方側を向ける風向舵を設けてなり、該捕虫器本体の前方側に向けて害虫の侵入口を１又は２以上設けてなり、該捕虫器本体の内部に前記侵入口から誘因侵入した害虫を捕獲する捕獲部を設けてなることを特徴とする捕虫器。
【請求項２】
前記捕虫器本体の外周又は捕虫器本体の前面及び外周に、微細な飛翔害虫の侵入口を設けると共に、該侵入口と捕獲部が空気流動路によって連結され、該捕虫器本体の後方側に空気の排気口が設けられることを特徴とする請求項１記載の捕虫器。
【請求項３】
前記捕虫器本体の前面に設けられた微細な飛翔害虫の侵入口から捕獲部に至る過程に空気流動路を設け、前記侵入口にモーターによって回動するプロペラを設け、該プロペラの回動によって前記空気流動路に空気の流れを形成し、前記空気流動路内の空気が排気口から排出される過程で害虫を捕獲部に捕獲することを特徴とする請求項１記載の捕虫器。
【請求項４】
捕獲部に網目が２ｍｍ以下の捕獲網を設け、該捕獲網が着脱可能に構成されることを特徴とする請求項１記載の捕虫器。
【請求項５】
捕獲部が、捕虫器本体の前方側と後方側の両方に別々に設けられ、前方側の捕獲部に捕獲水槽が設けられ、後方側の捕獲部に捕獲網が設けられることを特徴とする請求項１記載の捕虫器。
【請求項６】
捕虫器本体が、前記侵入口から排気口に向かってラッパ状に絞り込まれた形態を有していることを特徴とする請求項３記載の捕虫器。
【請求項７】
捕虫器本体の側壁がスライド式に延長可能な構造を有することを特徴とする請求項６記載の捕虫器。
【請求項８】
捕虫器本体は、湾曲した底面と侵入口を有する蓋部からなり、該底面に空気の排気口が形成されることを特徴とする請求項１記載の捕虫器。
【請求項９】
捕虫器本体が、下記(1) 又は(2) のいずれかの手段によって３００〜６００ｎｍの波長の範囲の色彩を帯びているように構成されることを特徴とする請求項１、２、３、４、５、７又は８記載の捕虫器。
(1) 捕虫器本体を３００〜６００ｎｍの波長の範囲の光を反射する色又は６００ｎｍの波長を越える範囲の光を吸収する色に着色すること
(2) 捕虫器本体を透明の合成樹脂板によって形成し、該合成樹脂板の片面に３００〜６００ｎｍの波長の範囲の光を反射するか又は６００ｎｍの波長を越える範囲の光を吸収する色層を形成すること
【請求項１０】
捕虫器本体が、黄色に着色されていることを特徴とする請求項９記載の捕虫器。
【請求項１１】
捕虫器本体を透明の合成樹脂板によって形成し、該合成樹脂板の片面に紫外線反射層を形成することを特徴とする請求項９記載の捕虫器。
【請求項１２】
捕虫器本体が、CaAl2O4:Eu:Nd 、CaSrS:Bi、
Sr4Al14O25:Eu:Dy、SrAl2O4:Eu:Dy 、SrAl2O4:Eu、ZnS:Cu、ZnS:Cu,Co から選ばれる少なくとも１種の蛍光物質を含む着色剤によって着色されていることを特徴とする請求項９記載の捕虫器。
【請求項１３】
捕虫器本体が着色を目立たさせるために表面積を増大させる手段が施され、且つ請求項１２記載の蛍光物質を含む着色剤によって着色されていることを特徴とする請求項１〜１１のいずれかに記載の捕虫器。
【発明の詳細な説明】
【０００１】
【発明の属する技術分野】
本発明は捕虫器に関し、詳しくは田畑、あるいは農業用のハウスやトンネル等に飛来する害虫を捕獲する捕虫器に関する。
【０００２】
【発明の背景】
農業においては、害虫は作物の商品価値を減少させ、引いては農業収入の減少となり、大きな問題となっていた。
【０００３】
近年、害虫の防除は、農薬に頼らざるを得ない状況にあるが、一方では、益虫の大量死滅、地下水の汚染、農作物の薬害等の環境問題があり、農薬に頼らない農業の実現は理想である。
【０００４】
本発明者はこの理想を実現すべく、前述の環境問題を考慮し、農薬を使用せずに、害虫を捕獲できる捕虫器の開発を試み、本発明に至った。
【０００５】
【発明が解決しようとする課題】
そこで、本発明は、農薬を用いることなく、田畑や農業用のハウスやトンネル等に飛来する害虫を捕獲する捕虫器を提供することを課題とする。
【０００６】
【課題を解決するための手段】
上記課題を解決する本発明に係る捕虫器は、捕虫器本体が３００〜６００ｎｍの波長の範囲の色彩を帯びており、該捕虫器本体に自然風の来る方向に合わせて該捕虫器本体の前方側を向ける風向舵を設けてなり、該捕虫器本体の前方側に向けて害虫の侵入口を１又は２以上設けてなり、該捕虫器本体の内部に前記侵入口から誘因侵入した害虫を捕獲する捕獲部を設けてなることを特徴とする。
【０００７】
本発明の好ましい態様としては、前記捕虫器本体の外周又は捕虫器本体の前面及び外周に、微細な飛翔害虫の侵入口を設けると共に、該侵入口と捕獲部が空気流動路によって連結され、該捕虫器本体の後方側に空気の排気口が設けられることであり、かかる構成によって、害虫は前記捕虫器本体の存在をその色によって確認し、誘因され、更に自然の風にのって飛翔してきた害虫は、該捕虫器本体のどこからでも侵入でき、且つ捕獲できる。
【０００８】
また捕虫器本体の前面に害虫の侵入口を設け、該侵入口から捕獲部に至る過程に空気流動路を設け、前記侵入口にモーターによって回動するプロペラを設け、該プロペラの回動によって前記空気流動路に風の流れを形成することが好ましく、かかる構成によって、微細な飛翔害虫を誘因するのみならず、強制的に吸引除去できる。
【０００９】
更に捕獲部に網目が２ｍｍ以下の捕獲網を設け、該捕獲網が着脱可能に構成されることによって、微小な飛翔害虫を捕獲できるのみならず、捕獲網を清掃して再使用でき、低コスト化をはかることができる。
【００１０】
更に捕獲部が、捕虫器本体の前方側と後方側の両方に別々に設けられ、前方側の捕獲部に捕獲水槽が設けられ、後方側の捕獲部に捕獲網が設けられることが好ましく、かかる構成によって、捕獲水槽で害虫の捕獲を分担するため、捕獲量を増大するのみならず、捕獲網の清掃頻度を下げることができる。
【００１１】
又、該捕虫器本体が、前記侵入口から排気口に向かってラッパ状に絞り込まれた形態を有していることは、侵入口の面積を大きくすることができて好ましく、また捕虫器本体の側壁がスライド式に延長可能な構造を有することによって、更に侵入口の面積を調整できるので好ましい。
【００１２】
更に該捕虫器本体を湾曲した底面と侵入口を有する蓋部によって構成し、該底面に空気の排気口を形成することにより、コンパクトな捕虫器を製造することができる。
【００１３】
更に又、前記捕虫器本体が、捕虫器本体を３００〜６００ｎｍの波長の範囲の光を反射する色又は６００ｎｍの波長を越える範囲の光を吸収する色に着色する手段によって、３００〜６００ｎｍの波長の範囲の色彩を帯びているようにすることも好ましい。
【００１４】
更に、前記捕虫器本体が、捕虫器本体を透明の合成樹脂板によって形成し、該合成樹脂板の片面に３００〜６００ｎｍの波長の範囲の光を反射するか又は６００ｎｍの波長を越える範囲の光を吸収する色層を形成する手段によって、３００〜６００ｎｍの波長の範囲の色彩を帯びているようにすることも好ましい。
【００１５】
更に又、前記捕虫器本体が、黄色に着色されていることも好ましく、捕虫器の害虫の誘因効果が顕著にあらわれる。
【００１６】
更に、前記捕虫器本体を透明の合成樹脂板によって形成し、該合成樹脂板の片面に紫外線反射層を形成することも好ましく、捕虫器本体の外面に紫外光を反射させ、害虫の誘因効果を発揮する。
【００１７】
又、前記捕虫器本体が、CaAl2O4:Eu:Nd 、CaSrS:Bi、Sr4Al14O25:Eu:Dy、
SrAl2O4:Eu:Dy 、SrAl2O4:Eu、ZnS:Cu、ZnS:Cu,Co から選ばれる少なくとも１種の蛍光物質を含む着色剤によって着色されていることも好ましく、夜間の害虫誘因効果を発揮する。
【００１８】
更に、前記捕虫器本体が着色を目立たさせるために表面積を増大させる手段が施され、且つ前記蛍光物質を含む着色剤によって着色されていることにより、害虫にの誘因効果を更に助長させることができる。
【００１９】
【発明の実施の形態】
本発明者は、害虫がある特定の波長の光に反応し、微小な有翔虫は風の流れに乗って作物に到達し、作物葉体に吸収口を刺し込み、又は食害し、作物に産卵、繁殖する傾向があり、特に作物の栽培畑では、風の吹き溜りに存在する作物に害虫が集中的に被害を与える習性があることを見いだし、本発明に至ったものである。
【００２０】
以下、本発明の実施の形態を図面に基いて説明する。
【００２１】
図１は本発明の捕虫器の一例を示す要部断面図である。図１において、１は捕虫器本体であり、捕虫器本体１の外周面（外から見える面）は３００〜６００ｎｍの波長の範囲の色彩を帯びているように形成される。
【００２２】
３００〜６００ｎｍの波長の範囲の色彩を帯びているようにするには、捕虫器本体１を３００〜６００ｎｍの波長の光を反射する色又は６００ｎｍの波長を越える範囲の光を吸収する色に着色する手段がある。例えば黄色に着色することによって、飛翔害虫を捕虫器本体１に誘因する効果がある。
【００２３】
捕虫器本体１を着色する具体的な手段としては、例えば、捕虫器本体１自体を透明樹脂板で形成し、それに顔料等を練り込む等の手段によって着色することができる。
【００２４】
かかる着色の際には、顔料と共に蛍光物質等を用いることも好ましい。顔料としては公知の黄色顔料等があり、また蛍光物質としては、CaAl2O4:Eu:Nd 、
CaSrS:Bi、Sr4Al14O25:Eu:Dy、SrAl2O4:Eu:Dy 、SrAl2O4:Eu、ZnS:Cu、
ZnS:Cu,Co から選ばれる少なくとも１種を用いることが好ましい。蛍光物質は夜間の太陽光のないときに発光して害虫の誘因効果を発揮する。
【００２５】
また捕虫器本体を透明の合成樹脂板によって形成し、捕虫器本体の片面（内面）に３００〜６００ｎｍの波長の範囲の光を反射するか又は６００ｎｍの波長を越える範囲の光を吸収する色層を形成する手段によって、３００〜６００ｎｍの波長の範囲の色彩を帯びているようにすることも好ましい。
【００２６】
上記の色層としては、例えば３００〜６００ｎｍの波長の光を反射する着色フィルムや、紫外線反射層等が挙げられる。
【００２７】
２は自然風の来る方向に合わせて捕虫器本体１の前方側を向ける風向舵であり、図示の例では捕虫器本体１の後方側に設けられている。風向舵２の形態は図示に限定されない。
【００２８】
３は捕虫器本体１の前方側に向けて形成される害虫の侵入口であり、捕虫器本体１上面や側面に形成される。侵入口３は１つでもよいが複数形成されることが好ましい。侵入口３は図示のように捕虫器本体１にウロコ状に設けてもよいが、帯状に設けることもできる。侵入口３は捕虫器本体１に切り線を入れその切り線を切り起こすことによって形成できるが、別に捕虫器本体１に孔をあけ、その孔を被覆するように蓋状の部材を固着してもよい。
【００２９】
侵入口３は上述のように捕虫器本体１の外周に設けるだけでもよいが、図１に示すように捕虫器本体１の前面にも侵入口４を設けると更に害虫の侵入を促進することができて好ましい。
【００３０】
本実施の形態では、侵入口４にプロペラ５が設けられ、本例ではモーター６によって回動するプロペラが設けられている。プロペラの色も捕虫器本体１の色と同様に３００〜６００ｎｍの波長の範囲の色彩を帯びているように形成されていることが好ましい。
【００３１】
捕虫器本体１の内部には侵入口３、４から誘因された害虫を捕獲する捕獲部が設けられ、本例では捕獲部が、捕虫器本体１の前方側と後方側の両方に別々に設けられ、前方側の捕獲部７ａに捕獲水槽８が設けられ、後方側の捕獲部７ｂに網目が２ｍｍ以下の捕獲網９が設けられている。
【００３２】
捕獲網９は捕虫器本体１から着脱可能に構成されることが好ましく、着脱可能な構成は特に限定されない。捕獲水槽８は前方側の捕獲部７ａ内で落下する害虫を効果的に捕獲する上で好ましく、前方側の捕獲部７ａ内で捕獲できなかった害虫は捕獲網９で捕獲できる。捕獲水槽８には殺虫剤を混入させることもでき、またケイソウ土等のシリカ粉体に殺虫剤を含浸させておいてもよい。
【００３３】
１０は捕虫器本体１の後方側に設けられた空気の排気口である。本例では侵入口３、４から捕獲部７ａ，７ｂ、排気口１０に至る過程に空気流動路が形成される。
【００３４】
１１は台盤であり、台盤１１上に支軸１２が立設され、支軸１２の先端に捕虫器本体１の下面に固定された回転板１３が固定され、支軸１２を中心にして捕虫器本体１が回動可能に支持されている。
【００３５】
図１に示される捕虫器を用いて害虫を捕獲するには、捕虫器本体１に固定された風向舵２によって、自然風の来る方向に合わせて捕虫器本体１の前方側を向ける。捕虫器本体１は風がある場合には常に風下に位置することになる。
【００３６】
捕虫器本体１の外周面が３００〜６００ｎｍの波長の範囲の色彩を帯びているように形成されているため、害虫の多くは捕虫器本体１の存在を確認し、風の流れに従って捕虫器本体１に誘因される。風のない時には害虫が捕虫器本体１の存在を確認し、自らの飛翔力によって捕虫器本体１に接近し、捕獲される。
【００３７】
図示のように、侵入口３以外に捕虫器本体１の前面に設けられた侵入口４からも害虫は侵入する。侵入口４にモーター６によって回動するプロペラ５が設けられているので、侵入した害虫はプロペラ５の起こす風によって空気流動路に位置する捕獲部７ａに取り込まれ、一部の害虫は捕獲水槽８に捕獲され、残りの害虫は捕獲部７ｂの捕獲網９内に捕獲される。捕獲部７ａ，７ｂ内を流れる空気は排気口１０から排出される。プロペラの色も３００〜６００ｎｍの波長の光を反射する色等で着色されていると、害虫はプロペラの部位にも誘因され易い。
【００３８】
捕獲網９は着脱可能に構成されているため、捕獲網９内に満たされた害虫が満たされたら、取りはずして清掃後、再度取り付けて捕獲できる。
【００３９】
次に、図２に基づき、本発明の他の実施の形態を説明する。図２に示す形態は、侵入口４の開口面積を図１より小さくしたものであり、開口面積を小さくしたことに伴って、侵入口４の前方に風誘導板２０を設けてある。この場合、風誘導板２０の長さ（Ｌ）と侵入口４の径（Ｄ）の比Ｌ／Ｄを大きくすると、害虫の吸い込みは容易になる。なお捕獲水槽８が図示されていないが、設けてもよいし、設けなくてもよい。図２において、図１と同一符号の部位は同一の構成であるので、その説明を省略する。
【００４０】
次に、図３に基づき、本発明の他の実施の形態を説明する。図３に示す態様は、捕虫器本体１が侵入口２１から排気口２２に向かってラッパ状に絞り込まれた形態を有していることに特徴があり、捕獲部２３内には捕獲水２４が張られている。２５は空気抜き孔である。２６は捕虫器本体１を捕獲部２３の上部で回動可能に支持するための回動支持部である。捕虫器本体１はスライド式に延長可能な構造を有していると、害虫の捕獲面積を増大できて好ましい。図３において、図１と同一符号の部位は同一の構成であるので、その説明を省略する。
【００４１】
次に、図４に基づき、本発明の他の実施の形態を説明する。図４に示す態様は、捕虫器本体１が、湾曲した底面３０と侵入口３１を有する蓋部３２からなり、底面３０に空気の排気口３３が形成されている点に特徴がある。３４はケイソウ土等のシリカ粉体に殺虫剤を含浸させた捕獲剤である。図４において、図１と同一符号の部位は同一の構成であるので、その説明を省略する。
【００４２】
以上、本発明の実施の形態について説明したが、上記の実施の態様において、夜間の使用に耐えるために、捕虫器本体１の外部から、太陽光発電によって蓄電された電力を用いて照明を与えることも好ましい。その際に集光レンズを用いることもできる。
【００４３】
また風の吹き溜まりを形成するために、他の補助板を付加することも好ましいことである。その際に補助板を滑り台状に形成して害虫を捕集し前記の侵入口に誘導することもできる。
【００４４】
更に本発明の捕虫器を例えば黄色の液体（殺虫剤を含有）の中に設置することも好ましいことである。
【００４５】
更に又、図１〜図４の例で、捕虫器本体１を軟質の部材によって形成し、植物の葉のような柔軟な感触を与えるようにすると、害虫の誘因、捕獲効果が増大する。更に害虫の侵入口に軟質部材を例えば暖簾のように設けると、害虫の誘因、捕獲効果が増大するので好ましい。更に捕虫器本体１自体に匂いによる害虫の誘因物質を保持させて置くことも好ましいことである。
【００４６】
本発明の捕虫器は、日中は太陽光の波長の制御によって害虫を捕獲でき、夜間は使用しなくてもよいが、使用する場合は白色電球や蛍光灯を使用したり、あるいは蛍光物質の作用により日中と同様に捕獲できる。
【００４７】
本発明の対象とする農作物に対する害虫は特に限定される訳ではないが、各作物別に例示すると、以下のものが主として挙げられる。
【００４８】
ナスの害虫：テントウムシダマシ、ハスモンヨトウ、ヨトウガ、ジャガイモガ、アブラムシ類、チャノホコリダニ、スリップス類、ハダニ類、オンシツコナジラミ、フキノメイガ、ネキリムシ、コウモリガ、ヤサイゾウムシ、アオクサカメムシ、ミドリメクラカメムシ類、ケナガコナダニ
【００４９】
ピーマンの害虫：タバコガ、ヨトウガ、ハスモンヨトウ、フキノメイガ、テントウムシダマシ、チャノホコリダニ、スリップス類、アブラムシ類、ホオズキカメムシ
【００５０】
キュウリの害虫：ウリハムシ、ウリキンウワバ、タネバエ、ワタアブラムシ、ジャガイモヒゲナガアブラムシ、スリップス類、オンシツコナジラミ、ハダニ類、ケナガコナダニ
【００５１】
トマトの害虫：オオタバコガ、タバコガ、ヒラズハナアザミウマ、ダイズウスイロアザミウマ、オンシツコナジラミ、モモアカアブラムシ、カメムシ類
キャベツ・カリフラワーの害虫：モンシロチョウ、コナガ、ヨトウガ、ハスモンヨトウ、タマナギンウワバ、アブラムシ類、オンブバッタ
【００５２】
ダイコンの害虫：モンシロチョウ、コナガ、タマナギンウワバ、ヨトウガ、ハスモンヨトウ、ハイマダラノメイガ、ナノメイガ、カブラハバチ、ニホンカブラハバチ・ダイコンサルハムシ、ヤサイゾウムシ、アブラムシ類、ホコリダニの一種、キスジノミハムシ
【００５３】
ネギ類（ネギ、タマネギ、ラッキョウ、ニラ、ニンニク）の害虫：ネギアザミウマ、ネギハモグリバエ、ナモグリバエ、ネギアブラムシ、ネダニ、タネバエ、タマネギバエ、ネギコガ、ヨトウガ、ハスモンヨトウ
【００５４】
ソラマメの害虫：ソラマメゾウムシ、ウリハムシ、クワハムシ、アブラムシ類、アヤモクメキリガ、ウラナミシジミ、マメヒメサヤムシガ、ナモグリバエ
【００５５】
フキの害虫：フキノメイガ、フキアブラムシ、モモアカアブアラムシ、ワタアブラムシ、ハスモンヨトウ
【００５６】
ハクサイの害虫：ヨトウガ、ハスモンヨトウ、モンシロチョウ、コナガ、シロヒトリ、タマナギンウワバ、ダイコンサルハムシ、アブラムシ類、カブラハバチ類、キスジノミハムシ、ヤサイゾウムシ、ウスカワマイマイ
【００５７】
イチゴの害虫：ヨトウガ、ハスモンヨトウ、ナシケンモン、オオシロオビクロハバチ、イチゴハムシ、クロケシツブチョッキリ、イチゴハナゾウムシ、コガネムシ類、ハダニ類、チャノホコリダニ、シロズヒメヨコバイ、チャノキイロアザミウマ、キイロハナアザミウマ、アブラムシ類
【００５８】
エダマメ（ダイズ）の害虫：ジャガイモヒゲナガアブラムシ、ダイズアブラムシ、マメアブラムシ、ハダニ類、マルカメムシ、ダイズウスイロアザミウマ、ミドリヒメヨコバイの一種、タバココナジラミ、ダイズハモグリバエ、マメヒメサヤムシガ、フキノメイガ、ハスモンヨトウ、モンキチョウ、マメドクガ、ミツモンキンウワバ、オオウンモンクチバ、オオケンモン、ナシケンモン、ヨモギエダシャク、ウコンノメイガ、コガネムシ類、シロイチモジマダラメイガ、マメヒメサヤムシガ、マメシンクイガ、フタスジヒメハムシ、ダイズサヤタマバエ、カメムシ類、タネバエ
【００５９】
サトイモの害虫：セスジスズメ、イッポンセスジスズメ、ワタアブラムシ、ハスモンヨトウ、カンザワハダニ
トウモロコシの害虫：アワノメイガ、アワヨトウ、ムギクビレアブラムシ、トウモロコシアブラムシ
オクラの害虫：ワタノメイガ、フタトガリコヤガ、ワタアブラムシ、フキノメイガ
【００６０】
シソの害虫：ベニフキノメイガ、ハダニ類、オンブバッタ、ワタアブラムシ
【００６１】
インゲン・ササゲ・フジマメの害虫：ハスモンヨトウ、ジャガイモヒゲナガアブラムシ、マメアブラムシ、ハダニ類、ダイズウスイロヒゲナガアブラムシ、マメアブラムシ、ハダニ類、ダイズウスイロアザミウマ、ミドリヒメヨコバイの一種、フキノメイガ
【００６２】
スイカ・メロンの害虫：ウリハムシ、ナモグリバエ、ワタアブラムシ、ハダニ類、タネバエ、コミドリメクラカメムシ、ミナミキイロアザミウマ
ニンジン・ミツバ・パセリの害虫：キアゲハ、クロモンシロハマキ、キクキンウワバ、ニンジンアブラムシ、モモアカアブラムシ、その他のアブラムシ、ヨトウガ、ハスモンヨトウ
【００６３】
ホウレンソウ・フダンソウの害虫：シロオビノメイガ、ヨトウガ、ハスモンヨトウ、ヤサイゾウムシ、モモアカアブラムシ、チャノホコリダニ、ケナガコナダニ
【００６４】
菜類（コマツナ、シャクシナ、カラシナ、キョウナ、タカナ、シロナ）の害虫：モンシロチョウ、コナガ、ヨトウガ、ダイコンサルハムシ、アブラムシ類、ヤサイゾウムシ、キスジノミハムシ、カブラハバチ類
ジャガイモの害虫：テントウムシダマシ、コメツキムシ類、ジャガイモガ、アブラムシ類
【００６５】
エンドウの害虫：エンドウゾウムシ、ナモグリバエ、アブラムシ類
ナガイモ・ヤマノイモの害虫：ヤマノイモコガ、コカクモンハマキ、ヤマイモクビボソハムシ、コガネムシ類、キイロスズメ
【００６６】
サツマイモの害虫：ナカジロシタバ、ハスモンヨトウ、エビガラスズメ、イモコガ、ヒルガオハムグリガ、ヨモギエダシャク、オンブバッタ、コガネムシ類、マルクビクシコメツキ
【００６７】
ゴボウの害虫：ゴボウハマキモドキ、ハスモンヨトウ、ヨトウガ、ヒメアカタテハ、ナシケンモン、アブラムシ類、ヒョウタンゾウムシ類、オオゴボウゾウムシ
【００６８】
本発明の捕虫器は、田畑、果樹園、農業用ハウスやトンネルの換気口の入口又はその近傍、農業用ハウスやトンネルの内部に設けることができる。農業用ハウスやトンネル内と外に併せて設けることにより相乗効果が期待できる。
【００６９】
【発明の効果】
以上の如く、本発明によれば、農薬を用いることなく、田畑や農業用のハウスやトンネル等に飛来する害虫を捕獲する捕虫器を提供することができる。
【図面の簡単な説明】
【図１】本発明の捕虫器の一例を示す要部断面図
【図２】本発明の捕虫器の他の例を示す要部断面図
【図３】本発明の捕虫器の他の例を示す断面図
【図４】本発明の捕虫器の他の例を示す断面図
【符号の説明】
１：捕虫器本体
２：風向舵
３、４：侵入口
５：プロペラ
６：モーター
７ａ，７ｂ：捕獲部
８：捕獲水槽
９：捕獲網
１０：排気口
１１：台盤
１２：支軸
１３：回転板
２０：風誘導板
２１：侵入口
２２：排気口
２３：捕獲部
２４：捕獲水
２５：空気抜き孔
２６：回動支持部
３０：底面
３１：侵入口
３２：蓋部
３３：排気口
３４：捕獲剤
【図１】
0003729433.tif 000002
【図２】
0003729433.tif 000003
【図３】
0003729433.tif 000004
【図４】
0003729433.tif 000005